(57)【要約】【課題】灌水機能が長時間維持され、ブロックの目詰まり等に対するメンテナンス頻度が削減され、効率よく舗装面の温度上昇を抑制することができる地面灌水構造を提供する。【解決手段】  ブロック３は互いに縦横方向に隙間１１をあけて並べられる。ブロック３の下方には凹溝７を有する送水部材５が設けられる。隣接する送水部材５同士の間には、隙間２３が設けられる。凹溝７を流れる水は、ブロック３と送水部材５との間に設けられた流路２５を流れる。流路２５を流れる水の一部は隙間１１を上昇して、ブロック３の上面近傍を濡らし、ブロック３を冷却する【選択図】図１
2009197430.tif 000002
【特許請求の範囲】
【請求項１】
地面近傍に水を送り、水の蒸発により地面の表面温度上昇を抑制する灌水構造であって、
地面に敷設された複数のブロックと、
前記ブロックの下方近傍に設けられた送水部材と、
前記複数のブロック同士の間に設けられた第１の隙間と、
を具備し、
前記送水部材を流れる水が、前記第１の隙間から前記ブロックの上面近傍へ送られることを特徴とする地面灌水構造。
【請求項２】
前記送水部材は、遮水性の凹溝を有する板状部材であり、
前記凹溝に水が流されることを特徴とする請求項１記載の地面灌水構造。
【請求項３】
前記送水部材は、
前記ブロックに設けられた溝に収納された多孔質パイプと、
前記多孔質パイプの下方に設けられた遮水部材と、
を具備し、
前記多孔質パイプに水が流されることを特徴とする請求項１記載の地面灌水構造。
【請求項４】
前記送水部材は、
遮水性の凹溝を有する板状部材と、
前記凹溝に設けられた多孔質パイプと、
を具備し、
前記多孔質パイプに水が流されることを特徴とする請求項１記載の地面灌水構造。
【請求項５】
前記凹溝は、前記第１の隙間の近傍に設けられることを特徴とする請求項２または請求項４に記載の地面灌水構造。
【請求項６】
前記多孔質パイプは、前記第１の隙間の近傍に設けられることを特徴とする請求項３または請求項４に記載の地面灌水構造。
【請求項７】
前記送水部材同士の間には、第２の隙間が設けられることを特徴とする請求項１から請求項６のいずれかに記載の地面灌水構造。
【請求項８】
前記第１の隙間の幅は、前記第２の隙間の幅よりも大きいことを特徴とする請求項７記載の地面灌水構造。
【請求項９】
前記第１の隙間には、透水部材が入れられることを特徴とする請求項１から請求項８のいずれかに記載の地面灌水構造。
【請求項１０】
前記第１の隙間の下方には、前記透水部材の流出防止のためのメッシュが設けられることを特徴とする請求項９記載の地面灌水構造。
【発明の詳細な説明】
【技術分野】
【０００１】
本発明は、地面近傍に水を送り、水の蒸発により地面の表面温度上昇を抑制する灌水構造に関するものである。
【背景技術】
【０００２】
都市部の舗装道路などでは、夏場の強い日差しによって、道路表面の温度が極めて高温となるヒートアイランド現象が発生する場合がある。このような場合には、舗装道路等に散水することで、舗装道路表面の温度の低下を図っている。
【０００３】
しかし、通常、道路上には人や車が通行しており、舗装道路の温度上昇に応じて、効率よく散水することは困難である場合が多い。また、散水設備を舗装道路上に設けるのは、通行の妨げになるなどの問題もある。
【０００４】
このような問題に対して、舗装道路上の温度上昇を抑制する方法としては、例えば、保水性のブロックを敷設し、保水性ブロックの下方に多孔質パイプによって水を送り、保水性ブロックに水を吸収させて、保水性ブロック表面で水を蒸発させることで、温度の上昇を抑制する保水性舗装体灌水設備がある（特許文献１）。
【特許文献１】特開２００６−２９９５１４号公報
【発明の開示】
【発明が解決しようとする課題】
【０００５】
しかし、特許文献１に記載の保水性舗装体灌水設備では、多孔質パイプを流れる水を、保水性ブロックへ吸収させ、保水性ブロックの表面まで水が浸み込む必要があるが、保水性ブロックの内部に有する孔は約３μｍと微細であるため、使用開始後即座に目詰まりを生じ、水が十分に保水性ブロックへ吸収されなくなるという問題がある。このため、灌水機能が発揮されず、温度抑制の効果を長時間維持することが困難であるとともに、高圧洗浄などの頻繁なメンテナンスが必要となるという問題がある。
【０００６】
本発明は、このような問題に鑑みてなされたもので、灌水機能が長時間維持され、ブロックの目詰まり等に対するメンテナンス頻度が削減され、効率よく舗装面の温度上昇を抑制することができる地面灌水構造を提供することを目的とする。
【課題を解決するための手段】
【０００７】
前述した目的を達成するため、本発明は、地面に水を送り、水の蒸発により地面の表面温度上昇を抑制する灌水構造であって、地面に敷設された複数のブロックと、前記ブロックの下方近傍に設けられた送水部材と、前記複数のブロック同士の間に設けられた第１の隙間と、を具備し、前記送水部材を流れる水が、前記第１の隙間から前記ブロックの上面近傍へ送られることを特徴とする地面灌水構造である。
【０００８】
前記送水部材は、遮水性の凹溝を有する板状部材であり、前記凹溝に水が流されてもよく、または、前記送水部材は、前記ブロックに設けられた溝に収納された多孔質パイプと、前記多孔質パイプの下方に設けられた遮水部材と、を具備し、前記多孔質パイプに水が流されてもよく、または、前記送水部材は、遮水性の凹溝を有する板状部材と、前記凹溝に設けられた多孔質パイプと、を具備し、前記多孔質パイプに水が流されても良い。この場合、前記凹溝は、前記第１の隙間の近傍に設けられてもよく、または前記多孔質パイプは、前記第１の隙間の近傍に設けられてもよい。
【０００９】
前記送水部材同士の間には、第２の隙間が設けられてもよく、この場合、前記第１の隙間の幅は、前記第２の隙間の幅よりも大きいことが好ましい。また、前記第１の隙間には、透水部材が入れられてもよい。この場合、前記第１の隙間の下方には、前記透水部材の流出防止のためのメッシュが設けられることが望ましい。
【００１０】
本発明によれば、ブロック間に隙間が設けられ、ブロックの下に配置された送水部材を流れる水は、当該隙間からブロックの上面近傍へ到達するため、ブロック自体に保水性や吸水性が要求されず、このため廉価なブロックを使用することができる。また、ブロック間の隙間は、水が流れるのに十分な隙間であるため、目詰まりを起こしにくく、灌水による効果を長時間維持することができ、こまめなメンテナンスが不要となる。
【００１１】
また、送水部材が遮水性の凹溝を有する板状部材であれば、水を流すためのパイプ等が不要となり、また、地面下方への水の逃げを最小限に抑えることができ、効率よくブロック下へ送水することができる。また、送水部材として多孔質パイプと、多孔質パイプの下に設けられた遮水部材とを用いれば、多孔質パイプは配管等との接続が容易であり、水は多孔質パイプ内へ流すことができ、また、多孔質パイプの下方への水の逃げを最小限に抑えることができ、効率よくブロック下へ送水することができる。
【００１２】
また、前述の凹溝や多孔質パイプの配置を、ブロック間の隙間に近づけることで、凹溝や多孔質パイプを流れる水を、効率よくブロック間の隙間に流すことができる。
【００１３】
さらに、送水部材間に隙間を設ければ、雨などの際に、水を下方へ流すことができるため、水溜りが生じることがない。さらに、ブロック間の隙間の幅を送水部材間の隙間の幅よりも大きくすることで、送水部材を流れる水は、送水部材間の隙間を流れる際に大きな抵抗を受けるため、より効率よく、ブロック間の隙間へ水を流すことができる。また、ブロック間の隙間に透水部材を設ければ、歩きやすく、隙間に物を落とす恐れがない。更に、ブロック間の隙間の下方に透水部材の流出防止のためのメッシュを設ければ、透水部材が送水部材間の隙間等に流入することがなく、透水部材をブロック間の隙間に保持することができる。
【発明の効果】
【００１４】
本発明によれば、灌水機能が長時間維持され、ブロックの目詰まり等に対するメンテナンス頻度が削減され、効率よく舗装面の温度上昇を抑制することができる地面灌水構造を提供することができる。
【発明を実施するための最良の形態】
【００１５】
以下、本発明の実施の形態にかかる灌水構造を含む灌水設備１について説明する。図１は、第１の実施の形態にかかる灌水設備１を示す図である。
【００１６】
灌水設備１は、主にブロック３、送水部材５、及び図示を省略した送水設備等から構成される。地面上に複数のブロック３が敷設される。ブロック３は略直方体のブロックであり、通常のレンガや敷石、およびインターロッキングブロックなどが使用でき、上部を通行する人や車に対する荷重強度や環境に対する耐摩耗性を有すれば良く、特に吸水性や保水性は不要である。
【００１７】
ブロック３は互いに縦横方向に隙間１１をあけて、千鳥状に並べられる。なお、ブロック３の並べ方は、図１に示すような千鳥状以外にも、様々な並べ方とすることができ、また、隙間１１は、ブロック３の縦方向のみ、または横方向のみとすることができる。
【００１８】
ブロック３の下方には凹溝７を有する送水部材５が設けられる。図２は、送水部材５を示す斜視図である。送水部材５は略中央片面に凹溝７を有した板状部材である。送水部材５の材質は、ある程度の強度があり、遮水性を有することが望ましく、例えば樹脂製であり、再生プラスチック等が使用できる。
【００１９】
なお、送水部材５としては、図２に示すような凹溝が１本のものに限らず、凹溝が複数本設けられた送水部材としてもよい。このような送水部材としては、ケーブル等の配設に用いられる管路材などを転用して使用することもできる。なお、ブロック３と送水部材５との間には水の流路が設けられるが詳細は後述する。
【００２０】
送水部材５の下方には、砂層９が不陸調整等の目的で設けられる。砂層９は、水はけが良く、送水や雨によって、水溜りが生じることを防ぐ。
【００２１】
なお、ブロック３と送水部材５とは同じサイズである必要はなく、必要に応じて、一つの送水部材５の上に複数のブロック３が敷設されても良い。ブロック３は、例えば１００ｍｍ×１００〜２００ｍｍで厚さ６０〜８０ｍｍ程度のインターロッキングブロックを使用できる。なお、ブロック３の厚さが薄い方が、後述する灌水効率は良いが、厚さを薄くすることで、ブロック３の強度が低下するため、ブロック３の厚みは、必要荷重強度に応じて適宜決定すればよい。また、ブロック３のサイズが小さいほど、後述する灌水のための隙間が増えるため灌水効率は良いが、地面の平坦性の確保が困難となるため、仕様に応じて適宜決定すればよい。
【００２２】
送水部材５としては、例えば厚さ１００ｍｍで、凹溝７の幅が２０ｍｍ程度のものが使用できるが、設置場所や要求仕様等に応じて適宜設定することができる。
【００２３】
図３（ａ）は、敷設されたブロック３、送水部材５等の正面図であり、図３（ｂ）は図３（ａ）のＡ−Ａ断面図である。
【００２４】
ブロック３同士は、互いに隙間１１をあけて並べられる。ブロック３下方には、送水部材５が設けられる。凹溝７と垂直な方向に隣接する送水部材５同士の間には、隙間２３が設けられる。なお、凹溝７方向に隣接する送水部材５同士の間には隙間を設ける必要はない。ブロック３と送水部材５との隙間にはスペーサ２１が設けられる。スペーサ２１は、ブロック３と送水部材５との間に隙間を設けるためのもので、ある程度の強度があればよく、例えば樹脂製である。また、スペーサ２１としては、不織布や、排水シート等の導水部材等の材料でも良い。
【００２５】
図３（ａ）に示すように、スペーサ２１の幅は、凹溝７の端から送水部材５の端部までの幅に該当し、また、図３（ｂ）に示すように、スペーサ２１の長さは、ブロック３、送水部材５の長さよりも短く、凹溝７の軸方向に対して、数枚に分割して設置される。長さ方向に分割して配置されたスペーサ２１同士の間には隙間が設けられており、流路２５が形成される。すなわち、凹溝７に垂直な方向に設けられた流路２５によって、凹溝７と、隙間１１及び隙間２３とが連通する。
【００２６】
なお、隙間１１と隙間２３とは、必ずしも同一線上に設けられる必要はない。また、スペーサ２１によって流路２５を設ける代わりに、ブロック３または、送水部材５に、凹溝７と垂直な方向に溝を設けておき、ブロック３と送水部材５とが密着させて、当該溝を流路として機能させても良い。
【００２７】
次に、灌水設備１における水の流れについて説明する。図４は、灌水設備１の平面図である。なお、図中の矢印は水の流れを示す。
【００２８】
水は、図示を省略したポンプ等の送水設備によって、送水配管１３に送られる。送水配管１３を流れる水は、ヘッダ１５ａを介して分岐配管１７ａに流れる。分岐配管１７ａを流れる水は、ブロック３下方に設けられた、送水部材５の凹溝７へ流入し、ブロック３下を凹溝７に沿って流れる。
【００２９】
敷設されたブロック３の端部まで流れた水は、それぞれの凹溝７に接続された分岐配管１７ｂに流出し、ヘッダ１５ｂを介して、排水配管１９から排水される。
【００３０】
なお、送水配管１３、ヘッダ１５ａ、分岐配管１７ａは、図示を省略した継手によってそれぞれ接続され、同様に、分岐配管１７ｂ、ヘッダ１５ｂ、排水配管１９は、図示を省略した継手によって接続される。また、分岐配管１７ａ、１７ｂと凹溝７は、接続部から水が漏れないように、パテ等により接続される。
【００３１】
ここで、送水配管１３には、流量調整弁や圧力調整バルブなどが別途設けられ、所定の条件で送水することができる。また、分岐配管１７ａそれぞれに流量調整弁や圧力調整弁を設ければ、各ラインごとに圧力設定等を行うことができ、送水配管からの距離に応じた圧損を考慮して、それぞれの送水条件を決めることもできる。
【００３２】
なお、送水配管１３へ送られる水としては、灌水設備１近傍に設けられた、雨水貯留槽に貯留された水を利用することもできる。すなわち、灌水設備１の近傍（例えば下方）に、雨水を貯留する貯留槽を設けておき、貯留された雨水を利用することもできる。この場合、雨水貯留槽からポンプで送られた水は、ブロック３の下に流され、その後、排水配管を経由して、再び雨水貯留槽へ戻すこともできる。
【００３３】
なお、ポンプの電源は、太陽発電により行うこともできる。また、ポンプの動作は、太陽発電で一定の量の発電が行われた場合のみ運転するとすることもできるし、タイマーにより運転時間をあらかじめ決めておいても良い。更に、ブロック３表面の温度から、所定温度以上の場合のみ稼動するとしても良い。この場合、例えば雨天時や夜間には、必要以上の運転をすることがなく、省エネルギーである灌水設備を得ることができる。
【００３４】
次に凹溝７からブロック３までの水の流れについて説明する。図５は、ブロック３、送水部材５等の拡大図である。凹溝７を流れる水は、ブロック３と送水部材５との間に設けられた流路２５を流れる。流路２５を流れる水の一部は、ブロック３間の隙間１１（矢印Ｅ方向）へ流れる。同様に、流路２５を流れる水の一部は、流路２５から送水部材５間の隙間２３へ流れる。すなわち、流路２５からの水は、隙間１１及び隙間２３へ分岐して流れる。なお、隙間１１及び隙間２３においては、凹溝７と同軸方向（流路２５と垂直方向）へも水は流れる。
【００３５】
ブロック３の隙間１１を流れる水は、ブロック３の厚みＤに対応するヘッド圧がかかる。しかし、隙間２３の幅Ｃは隙間１１の幅Ｂよりも十分に小さい。このため、隙間２３には大きな流水抵抗が生じる。従って、水の多くは優先して隙間１１方向へ流れる。なお、凹溝７を流れる水には、隙間２３へ水が流れることよる圧力低下分を考慮したうえで、ブロック３の厚さＤに応じたヘッド圧以上の圧力が必要である。水は隙間１１を上昇して、ブロック３の上面近傍を濡らし、ブロックを冷却する。なお、ブロック３の側面部に細かな凹凸を有すれば、水の圧力に加えて、側面に沿って表面張力によっても水が上方へ吸い上がる。
【００３６】
隙間１１及び隙間２３の幅は、水圧やブロック３の厚み等により適宜決定される。隙間１１としては例えば、２ｍｍ〜３ｍｍ程度とすることができ、隙間２３は、隙間１１の１／２以下が望ましく、更に望ましくは１／３以下である。この構成とすることで、施工の手間が比較的は省け、効率良く水を上方へ上げることができる。なお、隙間１１及び隙間２３を決定後、灌水効率が良くなるように水圧側を調整することもできる。
【００３７】
なお、隙間１１が大きい場合には、図６に示すように隙間１１に透水部材２７を充填することもできる。隙間１１が大きくなると、歩きにくくまた、物を落とす場合などがあるためである。透水部材２７としては、目詰まりがなく、水を透過できれば良く、例えば粒径の比較的大きな目地砂等でよい。
【００３８】
この場合、スペーサ２１等によって形成される流路２５はできるだけ小さい方が望ましい。特に、透水部材２７として目地砂を隙間１１へ入れる場合には、流路２５の大きさは、目地砂の粒径の２倍以下が望ましい。そうすることによって、流路２５への目地砂の進入を防ぐことができる。また、流路２５へ目地砂が侵入しないように、必要に応じて、目地砂の粒径よりも小さな開口径を有するメッシュ２８を設けることもできる。メッシュ２８によれば、透水部材２７としての目地砂は通過させないが、水のみを通過させることができる。
【００３９】
このように、本実施の形態にかかる灌水設備１によれば、ブロック３の上面近傍に水を送ることができるため、ブロック３の異常な温度上昇を防ぐことができる。また、ブロック３同士の間には隙間１１が設けられ、隙間１１を水が流れるため、ブロック３自体が吸水性や保水性を有している必要がなく、一般のレンガ等を使用でき、また、このためブロック３の目詰まりとは無関係に灌水機能を発揮することができる。
【００４０】
また、送水部材５は、凹溝７を有しており、遮水性があるため、パイプ等の配設が不要であり、直接凹溝７に水を流すことができるため、構造が簡易である。また、送水部材５同士にも隙間２３が設けられるため、雨天時に、隙間１１より上方から流入した水は、隙間２３を介して砂層へ排水することができるため、水溜りなどが生じにくい。
【００４１】
また、隙間１１の幅は隙間２３の幅よりも大きいため、隙間２３を水が流れる通水抵抗が大きく、このため、水を優先して隙間１１側へ流すことができる。凹溝７を流れる水の圧力が十分であれば、水はブロック３の上面近傍まで流れるため、ブロック３を効率よく冷却することができる。
【００４２】
次に、第２の実施の形態について説明する。なお、以下の実施の形態において、図１〜図４に示す灌水設備１と同一の機能を果たす構成要素には、図１〜図４と同一番号を付し、重複した説明を避ける。
【００４３】
図７は、ブロック３と送水部材５との設置位置を半ピッチずらした状態を示す図である。本実施の形態では、送水部材５の凹溝７はブロック３同士の隙間１１の下方に設けられ、送水部材５同士の隙間２３は、ブロック３の略中央下方に位置する。
【００４４】
凹溝７を流れる水の一部は、流路２５を介さず、直接上方の隙間１１へ流れる。隙間１１へ流れた水は、水圧によって上昇し、ブロック３の上面近傍を濡らし、ブロック３を冷却する。なお、凹溝７は、隙間１１の直下でなくても良く、多少のずれがあっても、隙間１１の近傍に設けられれば良い。
【００４５】
一方、凹溝７を流れる水の一部は、流路２５を介して、隙間２３へも流れる。隙間２３より流れ出た水は、砂層９へ排水される。
【００４６】
第２の実施の形態によれば、第１の実施の形態と同様の効果を得ることができる。また、凹溝７が隙間１１の近傍であるので、凹溝７を流れる水は、流路２５を介することなく、または、流路２５をわずかに流れるのみで隙間１１へ流れることができる。このため、流路２５による圧損がほとんどない。また、隙間２３への水の流れは、流路２５を介するため、大きな通水抵抗を受ける。このため、隙間１１へより効率的に水を流すことができる。
【００４７】
また、雨水は、隙間１１から流入し、流路２５を介して隙間２３から砂層９へ流出する。このため、雨によって水溜り等が生じにくい。
【００４８】
次に、第３の実施の形態について説明する。図８（ａ）は、送水部材として、多孔質パイプ３１および遮水材３５を設けた状態を示す正面図であり、図８（ｂ）は図８（ａ）のＧ−Ｇ断面図である。
【００４９】
ブロック３が互いに隙間１１をあけて並べられる。ブロック３には、Ｕ字状のパイプ溝３３が、開口部を下方に向けて設けられる。パイプ溝３３は、ブロック３の端部近傍、すなわち、隙間１１近傍に設けられる。パイプ溝３３には、多孔質パイプ３１が嵌められる。多孔質パイプ３１は、周囲に多数の細孔を有するパイプである。パイプ３１及びブロック３の下方には、遮水材３５が設けられる。遮水材３５同士は互いに隙間２３をあけて並べられる。遮水材３５は、遮水性の板状部材である。図８（ｂ）に示すように、遮水材３５の上面（ブロック３と接する面）には、多孔質パイプ３１と垂直な方向に多数の溝３７が設けられる。
【００５０】
なお、多孔質パイプ３１は、例えばセラミックス製のポーラスパイプや架橋ポリエチレン製を使用することができる。また、遮水材３５は、ある程度の強度があれば良く、例えば樹脂製で良い。
【００５１】
多孔質パイプ３１は、図示を省略した分岐配管１７ａ、１７ｂ等に接続され、内部に水が流される。多孔質パイプ３１内部を流れる水は、多孔質パイプ３１の孔から外部へ流出する。多孔質パイプ３１より流出した水は、溝３７を流れて、隙間１１および隙間２３近傍へ流出する。隙間１１へ流れ出た水は、隙間１１を通り、ブロック３上面近傍を濡らし、ブロック３を冷却する。
【００５２】
第３の実施の形態によれば、第１の実施の形態と同様の効果を得ることができる。また、多孔質パイプ３１を用いるため、配管の接合が容易となり、施工性に優れ、また、多孔質パイプ３１と分岐配管１７等との接続部での水漏れの恐れが少ない。
【００５３】
次に、第４の実施の形態について説明する。図９は、送水部材として、送水部材５の凹溝７へ多孔質パイプ３１を設けた状態を示す正面図である。送水部材５の凹溝７はブロック３同士の隙間１１の下方に設けられ、送水部材５同士の隙間２３は、ブロック３の略中央下方に位置する。
【００５４】
凹溝７には、多孔質パイプ３１が設けられる。多孔質パイプ３１には水が流される。多孔質パイプ３１を流れる水の一部は、流路２５を介さず、直接上方の隙間１１へ流れる。隙間１１へ流れた水は、水圧によって上昇し、ブロック３の上面近傍を濡らし、ブロック３を冷却する。なお、多孔質パイプ３１は、隙間１１の直下でなくても良く、多少のずれがあっても、隙間１１の近傍に設けられれば良い。
【００５５】
一方、多孔質パイプ３１を流れる水の一部は、流路２５を介して、隙間２３へも流れる。隙間２３より流れ出た水は、砂層９へ排水される。
【００５６】
第４の実施の形態によれば、第１の実施の形態と同様の効果を得ることができる。また、多孔質パイプ３１が隙間１１の近傍であるので、多孔質パイプ３１を流れる水は、流路２５を介することなく、または、流路２５をわずかに流れるのみで隙間１１へ流れることができる。このため、流路２５による圧損がほとんどない。
【００５７】
また、隙間２３への水の流れは、流路２５を介するため、大きな通水抵抗を受ける。このため、隙間１１へより効率的に水を流すことができる。また、多孔質パイプ３１を用いるため、配管の接合が容易となり、施工性に優れ、また、多孔質パイプ３１と分岐配管１７等との接続部での水漏れの恐れが少ない。
【００５８】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【図面の簡単な説明】
【００５９】
【図１】灌水設備１の構成を示す斜視図。
【図２】送水部材５を示す斜視図。
【図３】灌水設備１を示す図で、（ａ）は正面図、（ｂ）は（ａ）のＡ−Ａ断面図。
【図４】灌水設備１の平面図。
【図５】隙間１１と隙間２３を示す拡大図。
【図６】隙間１１へ充填部材を充填した状態を示す図。
【図７】ブロック３と送水部材５とを半ピッチずらして設置した状態を示す図。
【図８】多孔質パイプ３１を設けた状態を示す図で、（ａ）は正面図、（ｂ）は（ａ）のＧ−Ｇ断面図。
【図９】送水部材５へ多孔質パイプ３１を設けた状態を示す図。
【符号の説明】
【００６０】
１………灌水設備
３………ブロック
５………送水部材
７………凹溝
９………砂層
１１………隙間
１３………送水配管
１５ａ、１５ｂ……ヘッダ
１７ａ、１７ｂ………分岐配管
１９………排水配管
２１………スペーサ
２３………隙間
２５………流路
２７………透水部材
２８………メッシュ
３１………多孔質パイプ
３３………パイプ溝
３５………遮水材
３７………溝
【図１】
2009197430.tif 000003
【図２】
2009197430.tif 000004
【図３】
2009197430.tif 000005
【図４】
2009197430.tif 000006
【図５】
2009197430.tif 000007
【図６】
2009197430.tif 000008
【図７】
2009197430.tif 000009
【図８】
2009197430.tif 000010
【図９】
2009197430.tif 000011